(57)【要約】【課題】棚板を効果的に補強でき、それにより、製造コストをあまり増大させることなく、ピアノ本体の揺れを確実に抑制することができるグランド型電子ピアノの支持装置を提供する。【解決手段】下端部に棚板７を一体に有するピアノ本体２を支持するためのグランド型電子ピアノ１の支持装置であって、上端部が棚板７にねじ１７で固定され、上下方向に延び、ピアノ本体２を支持する複数の脚３と、棚板７の下側に重ねられ、ねじ１７で棚板７に共締めされた補強板１３と、を備えている。【選択図】  図３
2004151594.tif 000002
【特許請求の範囲】
【請求項１】
下端部に棚板を一体に有するピアノ本体を支持するためのグランド型電子ピアノの支持装置であって、
上端部が前記棚板にねじで固定され、上下方向に延び、前記ピアノ本体を支持する複数の脚と、
前記棚板の下側に重ねられ、前記ねじで前記棚板に共締めされた補強板と、
を備えていることを特徴とするグランド型電子ピアノの支持装置。
【請求項２】
前記補強板が、前記棚板に対して平面的に部分的に配置されていることを特徴とする、請求項１に記載のグランド型電子ピアノの支持装置。
【請求項３】
前記補強板が、前記棚板の前部に左右方向の全体にわたって配置されていることを特徴とする、請求項２に記載のグランド型電子ピアノの支持装置。
【発明の詳細な説明】
【０００１】
本発明は、アコースティックなグランドピアノと同様の外形を有するグランド型電子ピアノにおいてピアノ本体を支持するためのグランド型電子ピアノの支持装置に関する。
【発明の属する技術分野】
【０００２】
【従来の技術】
本出願人による調査の結果、本発明に関連する技術を記載した先行技術文献を発見することはできなかった。このため、本項においては、従来、一般に実施されている技術について説明する。
【０００３】
従来の一般的なグランド型電子ピアノとして、例えば図５に示すものが知られている。このグランド型電子ピアノ５１は、ピアノ本体５２と、これを支持する３本の脚３を備えている。ピアノ本体５２は、その外装を構成する本体ケース５４を備えており、この本体ケース５４に、鍵盤や操作パネル（いずれも図示せず）などが設けられている。
【０００４】
本体ケース５４は、棚板５７をベースとして、側板８、天板１０、開閉自在の大屋根１１や口棒１２などの、合板などから成る複数の構成部材を連結し、組み立てたものである。棚板５７は、１枚の合板で構成されており、その前部に鍵盤や操作パネルなどが支持されるとともに、下面の左右端部および後端部にそれぞれ、脚３が取り付けられている。図６に示すように、各脚３は、その上面にねじ止めした取付金具１５、ボルト１７および座金１８付きのナット１９によって、棚板５７に取り付けられている。さらに、棚板５７の下面の前部中央には、ペダル効果を付与するための複数のペダルを含むペダルユニット（いずれも図示せず）が取り付けられている。このペダルユニットは、上下方向に延び、床面Ｆから浮いた状態で設けられている。
【０００５】
棚板５７の厚さは、１８ｍｍ程度であり、アコースティックなグランドピアノ（以下、単に「グランドピアノ」という）の棚板の厚さ（例えば４０ｍｍ程度）と比較し、非常に薄くなっている。これは、グランドピアノでは、そのピアノ本体に、アコースティック音を発生させるための多数のアクションや弦が設けられ、さらに、弦の大きな張力を支持するために重量の大きな支柱やフレームなどが設けられていて、これらの大きな重量を十分に支持するために、棚板自身が高い強度をもたなければならないのに対し、グランド型電子ピアノ５１では、ピアノ本体５２に上記のような重量物が設けられていないことから、棚板５７にそれほど高い強度が要求されないためである。
【発明が解決しようとする課題】
【０００６】
しかし、従来のグランド型電子ピアノ５１では、ピアノ本体５２の重量が大きくないことで、比較的薄い棚板５７が用いられているとともに、棚板５７が支柱などによって補強されていないため、強度上の問題はないものの、棚板５７自身、および棚板５７と脚３との連結部の剛性が不足がちになる。このため、ピアノ本体５２に比較的大きな外力が作用した場合、例えば鍵盤を強く押鍵した場合や、ペダルを強く踏み込んだ場合などに、その押鍵力や踏込力により、棚板５７がたわみ変形するとともに脚３がぐらつくことによって、ピアノ本体５２に図６に示すような揺れが生じ、極端な場合には、円滑な演奏の妨げになってしまう。
【０００７】
このような問題は、例えば、棚板５７を厚くすることによってある程度、解消することが可能である。しかし、その場合には、棚板５７として用いられる合板などは、あまり厚いものが一般には市販されておらず、高価な特注品になってしまうため、材料コストの上昇を招く。また、棚板５７が重くなることによって、その加工が行いにくくなるなど、加工性や取扱い性が低下する。また、棚板５７が部分的に破損したような場合には、厚い棚板５７を全体として交換しなければならず、その材料の入手が困難なこととあいまって、メンテナンスコストも増大してしまう。
【０００８】
本発明は、このような課題を解決するためになされたものであり、棚板を効果的に補強でき、それにより、製造コストをあまり増大させることなく、ピアノ本体の揺れを確実に抑制することができるグランド型電子ピアノの支持装置を提供することを目的としている。
【０００９】
【課題を解決するための手段】
この目的を達成するために、本発明の請求項１に係る発明は、下端部に棚板を一体に有するピアノ本体を支持するためのグランド型電子ピアノの支持装置であって、上端部が棚板にねじで固定され、上下方向に延び、ピアノ本体を支持する複数の脚と、棚板の下側に重ねられ、ねじで棚板に共締めされた補強板と、を備えていることを特徴とする。
【００１０】
このグランド型電子ピアノの支持装置によれば、ピアノ本体の下端部に一体に設けられた棚板とは別体の補強板を備えており、この補強板は、棚板の下側に重ねられ、棚板と一緒に脚にねじで連結されている。したがって、補強板がこのように付加される分、棚板の剛性が高められるとともに、棚板と脚との連結部の剛性も高められる。その結果、演奏時などにピアノ本体に外力が作用した際に、棚板のたわみ変形および脚のぐらつきを低減でき、それにより、ピアノ本体の揺れを確実に抑制することができる。
【００１１】
また、棚板および補強板はそれぞれ、厚さがそれほど大きくないもので十分であるので、厚さの大きい１枚の棚板を用いた場合と比較して、それぞれの重量が小さいことで、加工性や取扱い性が向上する。また、同じ理由から、棚板として従来と同じものをそのまま採用できるなど、棚板および補強板を市販のものを利用して構成でき、高価な特注品は不要になるので、材料コストを抑制することができる。さらに、補強板が棚板とともに脚に共締めされるので、その組立性も向上する。
【００１２】
請求項２に係る発明は、請求項１に記載のグランド型電子ピアノの支持装置において、補強板が、棚板に対して平面的に部分的に配置されていることを特徴とする。
【００１３】
この構成によれば、補強板を、棚板の補強が特に必要な部分にのみ、重点的に配置することが可能になる。その結果、補強板による上述した棚板の補強を、効果的に行うことができる。また、補強板が部分的に設けられる分、その重量および材料コストを削減することができる。さらに、例えば補強板が破損した場合には、棚板はそのままで、補強板だけを交換すればよいので、メンテナンスコストも低減することができる。
【００１４】
請求項３に係る発明は、請求項２に記載のグランド型電子ピアノの支持装置において、補強板が、棚板の前部に左右方向の全体にわたって配置されていることを特徴とする。
【００１５】
一般に、棚板の前部には、演奏時に鍵盤の押鍵力やペダルの踏込力の大部分が作用するとともに、その左右の端部に脚が取り付けられる。したがって、補強板を上記のように配置することで、最小限の大きさの補強板によって、棚板の補強効果を非常に効率的に得ることができる。
【００１６】
【発明の実施形態】
以下、本発明の好ましい実施形態を、図面を参照しながら説明する。図１および図２は、本発明を適用したグランド型電子ピアノ（以下、単に「電子ピアノ」という）を示している。なお、この電子ピアノ１の構成要素のうち、すでに説明した従来の電子ピアノ５１と同じ構成のものについては、同じ参照番号を付して説明を行うものとする。この電子ピアノ１は、アコースティックなグランドピアノの外形を模したものであり、ピアノ本体２と、ピアノ本体２を床面Ｆ上に支持する３本の脚３などを備えている。
【００１７】
ピアノ本体２は、その外装を構成する本体ケース４に、鍵盤５、および各種のスイッチや表示器を設けた操作パネル６などを設けるとともに、鍵盤５の押鍵情報を検出する検出装置や、その検出結果に応じて演奏音を生成する演奏音生成装置（いずれも図示せず）などを内蔵したものである。
【００１８】
本体ケース４は、合板などから成る木製の複数の構成部材を、相互に連結し、組み立てたものである。具体的には、下端部に配置され、ピアノ本体２のベースを構成する棚板７（図２参照）と、棚板７の外周を取り囲む側板８と、側板８の上面に固定され、譜面台９を取り付けた天板１０と、その後方に配置された開閉自在の大屋根１１と、棚板７の前面を覆う口棒１２などで構成されている。
【００１９】
図３に示すように、棚板７は、ピアノ本体２の平面の全体にわたる形状およびサイズで形成されており、厚さ１８ｍｍ程度の１枚の合板で構成されている。また、棚板７の前部の下側には、棚板７を補強するための補強板１３が重ねられ、後述するようにして取り付けられている。
【００２０】
この補強板１３は、棚板７と同等の１８ｍｍ程度の厚さを有する合板、ＭＤＦやパーティクルボードなどの木質材で構成されている。補強板１３は、横長の長方形状に形成されており、棚板７の前部と同じ幅（左右方向長さ）と、少なくとも鍵盤５および操作パネル６の奥行の和よりも大きな所定の奥行（前後方向長さ）を有していて、鍵盤５および操作パネル６が、補強板１３とオーバーラップする棚板７の部分に支持されるようになっている。
【００２１】
各脚３は、矩形の断面を有するムクの木材で構成され、下方に向かってテーパが付けられており、その下端には移動用のキャスタ１４が取り付けられている。３本の脚３のうち、前側の左右の脚３は、棚板７に補強板１３を介して次のように取り付けられている。すなわち、図４に示すように、脚３の上面には、取付金具１５が複数のねじ１６で固定されている。この取付金具１４は、例えば鋼板で構成され、Ｔ字形に形成されていて、Ｔ字形の各辺にボルト孔１５ａがそれぞれ形成されている。一方、棚板７および補強板１３の左右端部には、ボルト孔１５ａに対応するように、複数のボルト孔７ａ（１つのみ図示）、１３ａが形成されている。
【００２２】
そして、棚板７、補強板１３および脚３を上下方向に重ね、ボルト孔７ａ、１３ａおよび１５ａを位置合わせした後、それらにボルト１７（ねじ）を取付金具１５側（下方）から通すとともに、棚板７から上方に突出したボルト１７のねじ部を、座金１８付きのナット１９で締め付けることによって、棚板７、補強板１３および脚３の三者が互いに一体に連結され、組み立てられる。このように、補強板１３は、棚板７への脚３の取付時に、棚板７と脚３の間に挟持された状態で、棚板７と一緒にボルト１７で共締めされる。なお、図３に示すように、後ろ側の脚３は、補強板１３を介さずに、棚板７の下面の後端部に直接、取付金具２０などを介して同様に取り付けられている。
【００２３】
また、補強板１３の中央には、ペダル効果を付与するための３本のペダル２１を含むペダルユニット２２が取り付けられている。ペダルユニット２２は、上下方向に延び、床面Ｆとの間に間隔を存した状態、すなわち床面Ｆから浮いた状態で設けられており、棚板７に取り付けた複数のペダル支え２３で支持されている。
【００２４】
以上のように本実施形態によれば、棚板７とは別体の補強板１３が、棚板７の下側に重ねられ、棚板７と一緒に脚３にボルト１７で連結されている。したがって、補強板１３がこのように付加される分、棚板７の剛性が高められるとともに、棚板７と脚３との連結部の剛性も高めることができる。その結果、演奏時などにピアノ本体２に外力が作用した際、例えば鍵盤５を強く押鍵した場合や、ペダル２１を強く踏み込んだ場合などに、棚板７のたわみ変形および脚３のぐらつきを低減でき、それにより、ピアノ本体２の揺れを確実に抑制することができる。
【００２５】
また、棚板７および補強板１３はそれぞれ、１８ｍｍ程度の厚さがそれほど大きくないもので十分であるので、厚さの大きい１枚の棚板を用いた場合と比較して、それぞれの重量が小さいことで、加工性や取扱い性が向上する。また、同じ理由から、棚板７として従来と同じものをそのまま採用できるなど、棚板７および補強板１３を市販のものを利用して構成でき、高価な特注品は不要になるので、材料コストを抑制することができる。さらに、補強板１３が棚板７とともに脚３に共締めされるので、その組立性も向上する。
【００２６】
また、補強板１３が、演奏時に鍵盤５の押鍵力やペダル２１の踏込力の大部分が作用する棚板７の前部に、すなわち棚板７の補強が特に必要な部分にのみ、部分的に配置されているので、最小限の大きさの補強板１３によって、棚板７の補強効果を非常に効率的に得ることができる。その結果、補強板１３の重量および材料コストを削減することができる。また、例えば補強板１３が破損した場合には、棚板７はそのままで、補強板１３だけを交換すればよいので、メンテナンスコストも低減することができる。
【００２７】
なお、本発明は、説明した実施形態に限定されることなく、種々の態様で実施することができる。例えば、実施形態では、補強板１３が、横長の長方形状に形成され、棚板７の前部にのみ配置されているが、これを棚板７と同じ形状およびサイズに形成し、棚板７の全体にわたって設けてもよい。あるいは、補強板１３に加えて、別の補強板を棚板７の後端部に設け、後ろ側の脚３を連結してもよい。それにより、棚板７と後ろ側の脚３との連結部の剛性が高められることで、ピアノ本体２の揺れをさらに抑制することができる。
【００２８】
さらに、補強板１３の中央部を後方に延ばし、その部分にペダル支え２３の上端部を連結してもよい。それにより、ペダル２１の踏込みに伴うピアノ本体２の揺れをさらに抑制することができる。また、補強板１３の材質は、例示した木質材に限らず、適当な他の材質、例えば金属や硬質の合成樹脂などでもよい。その他、本発明の趣旨の範囲内で、細部の構成を適宜、変更することが可能である。
【００２９】
【発明の効果】
以上のように、本発明のグランド型電子ピアノの支持装置は、棚板を効果的に補強でき、それにより、製造コストをあまり増大させることなく、ピアノ本体の揺れを確実に抑制することができるなどの効果を有する。
【図面の簡単な説明】
【図１】本発明を適用したグランド型電子ピアノの斜視図である。
【図２】図１のグランド型電子ピアノを概略的に示す正面図である。
【図３】図１のグランド型電子ピアノの棚板、補強板および脚の構成と、それらの連結方法を示す分解斜視図である。
【図４】取付金具を取り付けた状態の脚を示す部分拡大斜視図である。
【図５】従来のグランド型電子ピアノを示す、図２と同様の概略正面図である。
【図６】従来のグランド型電子ピアノの棚板および脚の構成と、それらの連結方法を示す分解斜視図である。
【符号の説明】
１  グランド型電子ピアノ
２  ピアノ本体
３  脚
７  棚板
１３  補強板
１７  ボルト（ねじ）
【図１】
2004151594.tif 000003
【図２】
2004151594.tif 000004
【図３】
2004151594.tif 000005
【図４】
2004151594.tif 000006
【図５】
2004151594.tif 000007
【図６】
2004151594.tif 000008